(57)【要約】【課題】  実際プリペイドカードを発行せずに、プリペイドカードを購買するサービスが利用できるようにするプリペイドカードサービス運用システムを提供する。【解決手段】  プリペイドカード発行者サーバ４００は、購買者端末機１００が求めた購買物量だけ注文番号と発行金額情報を含むＰＩＮを生成して登録し、登録されたＰＩＮを購買者端末機１００に提供し、ＰＩＮを携帯したユーザがユーザ端末機２００を利用してＰＩＮの登録を要求すれば、ユーザ端末機２００から入力されたＰＩＮと予め登録された登録ＰＩＮとを比べて入力されたＰＩＮを認証し、ユーザ端末機２００から入力されたサービス要求情報によりサービス提供者サーバ３００に接続して該当ユーザの正当性を認証し、サービス提供者サーバ３００の認証結果に従ってＰＩＮの登録可否をユーザ端末機２００に通知する。【選択図】  図１
2006040249.tif 000002
【特許請求の範囲】
【請求項１】
発行金額情報が含まれたＰＩＮを生成するプリペイドカード発行者サーバと、
前記ＰＩＮの購買を要求する購買者端末機と、
前記ＰＩＮを携帯したユーザが前記ＰＩＮを登録するためのユーザ端末機と、
前記ＰＩＮのユーザが要求したサービスを前記プリペイドカードの発行金額だけユーザに提供するサービス提供者サーバと、が通信網を通じて相互通信可能に連結され、
前記プリペイドカード発行者サーバは、前記購買者端末機が求めた購買物量だけ注文番号と発行金額情報を含むＰＩＮを生成して登録し、登録された発行金額情報を含む前記ＰＩＮを前記購買者端末機に提供し、
前記ＰＩＮを携帯したユーザが前記ユーザ端末機を利用して前記ＰＩＮの登録を要求すれば、前記ユーザ端末機から入力されたＰＩＮと予め登録された前記登録ＰＩＮとを比べて前記入力されたＰＩＮを認証し、
前記ユーザ端末機から入力されたサービス要求情報により前記サービス提供者サーバに接続して該当ユーザの正当性を認証し、
前記サービス提供者サーバの認証結果に従って前記ＰＩＮの登録可否を前記ユーザ端末機に通知することを特徴とするプリペイドカードサービス運用システム。
【請求項２】
発行金額情報が含まれたＰＩＮを生成するプリペイドカード発行者サーバと、
前記中継サーバから前記ＰＩＮをダウンロードし、ダウンロードされたＰＩＮを登録するためのユーザ端末機と、
前記ＰＩＮのユーザが要求したサービスを前記ＰＩＮの発行金額だけユーザに提供するサービス提供者サーバと、が通信網を通じて相互通信可能に連結され、
前記プリペイドカード発行者サーバは、前記ユーザ端末機が求めた購買物量だけの注文番号と発行金額情報を含むＰＩＮを生成して登録し、生成された前記ＰＩＮを前記ユーザ端末機にダウンロードし、
前記ＰＩＮをダウンロードしたユーザが前記ユーザ端末機を利用して前記ＰＩＮの登録を要求すれば、前記ユーザ端末機から入力されたＰＩＮと予め登録された前記登録ＰＩＮとを比べて前記入力されたＰＩＮの正当性を認証し、
前記ユーザ端末機から入力されたサービス要求情報により前記サービス提供者サーバに接続して該当ユーザの正当性を認証し、前記サービス提供者サーバの認証結果に従って前記ＰＩＮの登録可否を前記ユーザ端末機に通知することを特徴とするプリペイドカードサービス運用システム。
【請求項３】
発行金額情報が含まれたＰＩＮを生成するプリペイドカード発行者サーバと、
前記ＰＩＮを携帯したユーザが前記ＰＩＮを登録するためのユーザ端末機と、
前記ＰＩＮのユーザが要求したサービスを前記ＰＩＮの発行金額だけユーザに提供するサービス提供者サーバと、が通信網を通じて相互通信可能に連結され、
前記プリペイドカード発行者サーバは、生成されたＰＩＮのうち当籤対象ＰＩＮをランダムに生成して保存し、
前記ＰＩＮを携帯したユーザが前記ユーザ端末機を利用して前記ＰＩＮの登録を要求すれば、前記ユーザ端末機から入力されたＰＩＮと予め生成された前記当籤対象ＰＩＮとを比較して当籤可否を判断し、当籤された該当ＰＩＮを登録したユーザに前記ユーザ端末機から入力されたサービス要求情報により、前記サービス提供者サーバで提供するサービスを割引または無料のうち少なくともいずれか一つの価格で利用するように構成することを特徴とするプリペイドカードサービス運用システム。
【請求項４】
前記ユーザ端末機は、
電話網を通じて接続可能な電話機と、
インターネット網を通じて接続可能なコンピュータと、
無線インターネット網を通じて接続可能な移動通信端末機のうち少なくとも一つ以上を含む請求項１乃至３のいずれか１項に記載のプリペイドカードサービス運用システム。
【請求項５】
前記サービス提供者サーバは、移動通信事業者サーバ及び有料コンテンツ提供サイト運用者サーバのうち少なくとも一つ以上を含む請求項１乃至３のいずれか１項に記載のプリペイドカードサービス運用システム。
【請求項６】
前記プリペイドカード発行者サーバは、前記購買者端末機から伝送された購買情報に前記購買者端末機から伝送された広告情報を含んで保存し、前記ユーザ端末機のＰＩＮ登録要求により前記登録された広告情報を前記ユーザ端末機に伝送する請求項１記載のプリペイドカードサービス運用システム。
【請求項７】
前記広告情報は、
前記ユーザ端末機が電話機のときに提供される音声情報と、
前記ユーザ端末機がコンピュータのときに提供されるイメージ情報と、
前記ユーザ端末機が移動通信端末機のときに提供される文字メッセージ情報のうち少なくとも一つ以上を含む請求項６記載のプリペイドカードサービス運用システム。
【請求項８】
前記通信網は、電話網、インターネット網、専用回線のうち少なくとも一つ以上を含む請求項１乃至３のいずれか１項に記載のプリペイドカードサービス運用システム。
【請求項９】
前記プリペイドカード発行者サーバは、
電話網を通じて接続された前記ユーザ端末機に応答し、前記ユーザ端末機に前記ＰＩＮの登録に関連した音声情報を提供するＩＶＲサーバと、
インターネット網を通じて接続された前記購買者端末機または前記ユーザ端末機のうち少なくとも一つ以上に応答して前記ＰＩＮの登録過程を全般的に制御するトランザクションサーバと、
前記プリペイドカード発行者サーバに接続された前記購買者端末機及び前記ユーザ端末機のうち少なくとも一つ以上に購買関連及び前記ＰＩＮ登録関連のＷｅｂページを提供するＷｅｂサーバと、
無線インターネット網を通じて接続された前記ユーザ端末機に応答し、前記ユーザ端末機に前記ＰＩＮの登録のためのデータを伝送するＷＡＰサーバと、
ＰＩＮを生成するＰＩＮサーバと、
前記ＰＩＮサーバで生成されたＰＩＮと前記購買者端末機によって受け付けられた購買依頼情報に対応する注文番号及び前記購買者端末機から伝送された広告情報及びＰＩＮの認証と登録制御管理のためのＰＩＮ発行情報を一対一マッチングさせて登録するＤＢサーバと、
前記購買者端末機またはユーザ端末機のうち少なくとも一つ以上の購買過程を全般的に制御するＥＲＰサーバと、を含むことを特徴とする請求項１または２に記載のプリペイドカードサービス運用システム。
【請求項１０】
前記プリペイドカード発行者サーバは、電話網を通じて接続された前記ユーザ端末機に応答し、前記ユーザ端末機に前記ＰＩＮの登録に関連した音声情報を提供するＩＶＲサーバと、
インターネット網を通じて接続された前記購買者端末機または前記ユーザ端末機のうち少なくとも一つ以上に応答して前記ＰＩＮの登録過程を全般的に制御するトランザクションサーバと、
前記中継サーバに接続された前記購買者端末機及び前記ユーザ端末機のうち少なくとも一つ以上に購買関連及び前記ＰＩＮ登録関連のＷｅｂページを提供するＷｅｂサーバと、
無線インターネット網を通じて接続された前記ユーザ端末機に応答し、前記ユーザ端末機に前記ＰＩＮの登録のためのデータを伝送するＷＡＰサーバと、
ＰＩＮを生成するＰＩＮサーバと、
予め発給された前記ＰＩＮのうち当籤対象ＰＩＮをランダムに生成し、該生成された前記当籤対象ＰＩＮとユーザが入力したＰＩＮとを比べて当籤可否を判断し、前記ユーザ端末機に当籤結果を通知する管理者サーバと、
前記ＰＩＮサーバで生成されたＰＩＮと前記購買者端末機によって受け付けられた購買依頼情報に対応する注文番号及び前記購買者端末機から伝送された広告情報を一対一マッチングさせて登録すると同時に前記管理者サーバで生成された当籤対象ＰＩＮを保存するＤＢサーバと、
前記購買者端末機の購買過程を全般的に制御するＥＲＰサーバと、を含むことを特徴とする請求項３記載のプリペイドカードサービス運用システム。
【請求項１１】
前記プリペイドカード発行者サーバは、前記専用回線及び前記インターネット網を通じて前記プリペイドカード発行者サーバに接続する接続者から前記プリペイドカード発行者サーバを保護するファイアウォールをさらに含む請求項９または請求項１０に記載のプリペイドカードサービス運用システム。
【請求項１２】
前記プリペイドカード発行者サーバは、前記ユーザ端末機で前記ＰＩＮの登録のために入力した各種登録情報が暗号化して前記プリペイドカード発行者サーバに伝送されるとき、暗号化された前記登録情報を解読すると同時に前記ＰＩＮの登録結果情報を暗号化し、前記プリペイドカード発行者サーバの保安を担当するプロキシサーバをさらに含む請求項９または請求項１０に記載のプリペイドカードサービス運用システム。
【請求項１３】
前記プリペイドカード発行者サーバは、前記プリペイドカード発行者サーバで発生する各種データをバックアップするバックアップサーバをさらに含む請求項９または請求項１０に記載のプリペイドカードサービス運用システム。
【請求項１４】
発行金額情報を含むＰＩＮを生成するプリペイドカード発行者サーバと、前記ＰＩＮの購買を要求する購買者端末機と、前記ＰＩＮを携帯したユーザが前記ＰＩＮを登録するためのユーザ端末機と、前記ＰＩＮのユーザが要求したサービスを前記ＰＩＮの発行金額だけユーザに提供するサービス提供者サーバが通信網を通じて相互に通信が可能なように連結されたシステムを利用するプリペイドカードサービス運用方法であって、
前記プリペイドカード発行者サーバは、前記購買者端末機が求めた購買物量だけ注文番号と前記ＰＩＮを含む発行情報を生成して登録し、生成された前記ＰＩＮを前記購買者端末機に提供する段階と、
前記ＰＩＮを携帯したユーザが前記ユーザ端末機を利用して前記ＰＩＮの登録を要求すると、前記ユーザ端末機から入力されたＰＩＮと予め登録された前記登録ＰＩＮとを比較して前記入力されたＰＩＮを認証する段階と、
前記ユーザ端末機から入力されたサービス要求情報により前記サービス提供者サーバに接続して該当ユーザの正当性を認証し、前記サービス提供者サーバの認証結果に従って前記ＰＩＮの登録可否を前記ユーザ端末機に通知する段階とを含むことを特徴とするプリペイドカードサービス運用方法。
【請求項１５】
発行金額情報を含むＰＩＮを生成するプリペイドカード発行者サーバと、前記プリペイドカード発行者サーバからＰＩＮをダウンロードし、前記ダウンロードされたＰＩＮを登録するためのユーザ端末機と、前記ＰＩＮのユーザが要求したサービスを前記ＰＩＮの発行金額だけユーザに提供するサービス提供者サーバが通信網を通じて相互に通信が可能なように連結されたシステムを利用するプリペイドカードサービス運用方法であって、
前記プリペイドカード発行者サーバは、前記購買者端末機が求めた購買物量だけ注文番号と前記ＰＩＮを含む発行情報を生成して登録し、生成された前記ＰＩＮを前記ユーザ端末機にダウンロードする段階と、
前記ＰＩＮをダウンロードしたユーザが前記ユーザ端末機を利用して前記ＰＩＮの認証を要求すると、前記ユーザ端末機から入力されたＰＩＮと予め登録された前記登録ＰＩＮとを比較して前記ＰＩＮの正当性を認証する段階と、
前記ユーザ端末機から入力されたサービス要求情報により前記サービス提供者サーバに接続して該当ユーザの正当性を認証し、前記サービス提供者サーバの認証結果に従って前記ＰＩＮの登録可否を通知する段階とを含むことを特徴とするプリペイドカードサービス運用方法。
【請求項１６】
発行金額情報を含むＰＩＮを生成するプリペイドカード発行者サーバと、前記ＰＩＮを携帯したユーザが前記ＰＩＮを登録するためのユーザ端末機と、前記ＰＩＮのユーザが要求したサービスを前記ＰＩＮの発行金額だけユーザに提供するサービス提供者サーバが通信網を通じて相互に通信が可能なように連結されたシステムを利用するプリペイドカードサービス運用方法であって、
前記プリペイドカード発行者サーバは、予め発給された前記登録ＰＩＮのうち当籤対象ＰＩＮをランダムに生成して保存する段階と、
前記ＰＩＮを携帯したユーザが前記ユーザ端末機を利用して前記ＰＩＮの登録を要求すると、前記ユーザ端末機から入力されたＰＩＮと予め生成された当籤対象ＰＩＮとを比較して当籤可否を判断する段階と、
当籤されたＰＩＮを登録した使用者に前記ユーザ端末機から入力されたサービス要求情報により前記サービス提供者サーバで提供するサービスを割引または無料のうちいずれか一つの価格で提供する段階とを含むことを特徴とするプリペイドカードサービス運用方法。
【請求項１７】
前記ユーザ端末機を通じて前記ＰＩＮの正当性を認証する段階は、電話網を通じて接続可能な電話機を用いてＰＩＮを入力してＰＩＮの正当性を認証する段階と、
インターネット網を通じて接続可能なコンピュータを利用してＰＩＮを入力してＰＩＮの正当性を認証する段階と、
無線インターネット網を通じて接続可能な移動通信端末機を利用してＰＩＮを入力してＰＩＮの正当性を認証する段階のうち少なくとも一つ以上の段階を含む請求項１４乃至１６のいずれか１項に記載のプリペイドカードサービス運用方法。
【請求項１８】
前記サービス提供者サーバは、移動通信事業者サーバ及び有料コンテンツ提供サイト運用者サーバのうち少なくとも一つ以上を含む請求項１４乃至１６のいずれか１項に記載のプリペイドカードサービス運用方法。
【請求項１９】
前記プリペイドカード発行者サーバは、
前記購買者端末機から伝送された購買情報に前記購買者端末機から伝送された広告情報を含んで登録する段階と、
前記ユーザ端末機の登録要求により前記登録された広告情報を前記ユーザ端末機に伝送する段階とをさらに含む請求項１４記載のプリペイドカードサービス運用方法。
【請求項２０】
前記ユーザ端末機に伝送される広告情報は、
前記ユーザ端末機が電話機のときに提供される音声情報と、
前記ユーザ端末機がコンピュータのときに提供されるイメージ情報と、
前記ユーザ端末機が移動通信端末機のときに提供される文字メッセージ情報のうち少なくとも一つ以上を含む請求項１９記載のプリペイドカードサービス運用方法。
【請求項２１】
前記通信網は、電話網、インターネット網、専用回線のうち少なくとも一つ以上を含む請求項１４乃至１６のいずれか１項に記載のプリペイドカードサービス運用方法。
【請求項２２】
前記プリペイドカード発行者サーバは、
前記ユーザ端末機で前記サービス提供者サーバに積み立てられたユーザのポイントを前記ＰＩＮの充電金額に転換するように要求する段階と、
前記サービス提供者サーバが前記要求されたポイント転換要求を前記プリペイドカード発行者サーバに伝送して前記ユーザが保有したＰＩＮの正当性を認証するように要求する段階と、
正当性が認証されると、前記プリペイドカード発行者サーバで前記ＰＩＮの積立金額から前記サービス提供者サーバで要求した充電金額を加算して再充電する段階とをさらに含む請求項１４乃至１６のいずれか１項に記載のプリペイドカードサービス運用方法。
【発明の詳細な説明】
【技術分野】
【０００１】
本発明はプリペイドカード(prepaid card)サービス運用システム及び方法に関して、より詳細には所定の費用を払って購買したプリペイドカードを利用してプリペイドカードの使用金額だけサービスを提供するプリペイドカードシステムにおいて、プリペイドカードの注文受付と販売されたプリペイドカードの登録及びサービス提供に係る全般的な運用方式とシステムを提供してプリペイドカードの否定使用を防ぎ、多量のプリペイドカードを効率的に普及及び管理することができ、プリペイドカードを通じて広告効果が得られるプリペイドカードサービス運用システム及び方法に関するものである。
【０００２】
また本発明は、プリペイドカードのＰＩＮ(Personal Identification Number：個人識別番号)を利用してプリペイドカードを認証し、認証過程で登録されたＰＩＮを選別して提携されたコンテンツ提供業者のコンテンツを無料あるいは割引された価格で利用可能にするプリペイドカードサービス運用システム及び方法に関するものである。
【背景技術】
【０００３】
一般のプリペイドカードシステムは、サービスを提供しようとする事業者が発行金額別に区分されるプリペイドカードを発行し、ユーザが発行金額別にプリペイドカードを購買した後、該当プリペイドカードの発行金額だけ事業者のサービスを受けるようにした決済概念を含む一つの運用システムに該当する。このようなプリペイドカードシステムは、プリペイド交通カード、プリペイド電話カードなどにより既に大衆に普遍化して使用されている。
【０００４】
従来のプリペイドカードシステムは、その運用方式においてユーザが購買したプリペイドカードを利用して限定されたサービスを提供するように制限されている。すなわち、プリペイド電話カードは公衆電話サービスあるいは移動通信事業者が提供する移動通信サービスを利用する場合に使用され、プリペイド交通カードはバスあるいは地下鉄を利用する場合に使用可能である。このような従来のプリペイドカードは別途の認証手続きが不要であり、あるいは該当プリペイドカードに充電された金額を確認し、該当プリペイドカードが正常的なカードであるかどうかを認証する手続きを経る。
【０００５】
このような従来のプリペイドカードシステムによれば、次のような問題点が発生する。
１）  従来のプリペイドカードシステムは認証手続きが不要であり、あるいは正常的なカードであるかどうかを認証する手続きと充電された金額を確認する手続きに限定されるので、ユーザがプリペイドカードを紛失し、あるいは盗難に遭った場合にプリペイドカードの残高に対してはそれ以上のサービスが期待できない。
２）  移動通信サービス用プリペイドカードの場合、ユーザが加入された該当移動通信事業者が発行したプリペイドカードを購買すべく、プリペイドカードの使用範囲が他のサービスに拡大しないため、プリペイドカードの互換性が低下し、それによりプリペイドカードの購買意欲が低下する現象が発生する。
３）  従来のプリペイドカードはサービスを利用する度に複雑な認証手続きを経なければならないし、サービスを利用する度にプリペイドカードの残高でサービスを利用するだけ(従量、定額)を継続して残高情報を更新(差し引き)しなければならないので、通信費用の増加やシステムの効率性が低下する。
【０００６】
このような従来のプリペイドカードの問題点を解決するために、特許文献１に開示されたように、新たな概念のプリペイドカードシステムが提案された。
【０００７】
この先行技術では、プリペイドカードの発行と登録及びサービス利用過程、そしてユーザが希望する専用プリペイドカードの発行あるいは交換のための過程が詳細に開示されている。
【０００８】
すなわち、上記の技術において、一定の金銭的価値が与えられた文字列(ここでは、ＰＩＮに該当する)を有する汎用プリペイドカードをユーザに配布しておき、この文字列を入力することによりユーザが希望する専用プリペイドカードを持つようにするシステムであって、所定桁数の文字列に一定の金額情報を関連付けた汎用カード番号を格納しておく汎用カード番号データベースと、当該汎用カード番号が記録された汎用プリペイドカードと、発行可能な複数の専用プリペイドカードに関する情報を格納しておく専用プリペイドカードデータベースと、ユーザの操作する端末から前記汎用プリペイドカードに記録された汎用カード番号が入力された場合に、前記汎用カード番号データベースを検索し、当該汎用カード番号に関連付けられた残高を当該ユーザの保有金額と認定する手段と、 前記端末のディスプレイに発行可能な専用プリペイドカードのリストを表示させて、発行を希望する専用プリペイドカードの選択を求める手段と、前記端末から特定のプリペイドカードの選択情報が入力された場合に、当該プリペイドカードの発行に必要な情報を前記専用プリペイドカードデータベースから抽出し、当該端末に送信する手段と、送信された前記情報を所定の媒体に記録して専用プリペイドカードを形成する手段と、当該専用プリペイドカードの額面分を前記汎用カード番号の金額情報から減算し、その残高を前記汎用カード番号データベースに更新登録する手段とを備えたことを特徴とするプリペイドカード発行システムが開示されている。
【０００９】
上記の先行技術のシステムによれば、ユーザは端末から汎用プリペイドカードの番号を入力することにより、多様な種類の専用プリペイドカードの中で自己の希望するカードを端末側で自由に入手できるようになり、しかも当該汎用カード番号に関連付けられた金額情報を専用プリペイドカードの購入費用(交換費用)の決済に利用することができる。
【００１０】
上記のような従来のプリペイドカード発行システムによると、次のような問題点が発生する。
【００１１】
すなわち、汎用プリペイドカードを発行して既に流通されている専用プリペイドカードに変えるようになり、専用プリペイドカードのみで汎用プリペイドカードが使用されるしかないため、汎用プリペイドカードの限界は 専用プリペイドカードを発行している事業者に限定されることである。
【００１２】
つまり、プリペイドカード発行システムによると、ＰＩＮ番号と必要に応じて広告情報が印字された汎用プリペイドカードを直接に制作配布すべきであるが、この場合にはプリペイドカードを発行するための経済的及び時間的損失が発生する。
【００１３】
また、従来のプリペイドカードはカード表面に広告文句を印字する形式を取るので、十分な広告効果が期待できない。
【００１４】
また、ユーザが支払う金額だけ発行された汎用プリペイドカードに対して専用プリペイドカード発行者が発行している専用プリペイドカードサービスの中でユーザが希望するコンテンツあるいはサービスを利用する専用プリペイドカードを発給するように構成されている。それにより、予め一定費用を支払うことに反してユーザにあまり利益が与えられないため、プリペイドカードの購買意欲が低下する。
【００１５】
また、従来のプリペイドカードサービス運用方式はユーザがサービス提供を受けようとする度にプリペイドカードのＰＩＮを繰り返して認証を受けるべく、残高情報を反復的にプリペイドカード発行者とサービス提供者の側に更新しなければならないので不便さがあった。
【００１６】
しかも、汎用プリペイドカードを発行することは専用プリペイドカードに変える役割をするため、ユーザは実際にサービスを利用するためには再び専用プリペイドカード発行者の側に別途に接続して当該専用プリペイドカード発行者が提供する手順(認証、決済)を別途に経るべきである。そのため、ユーザがプリペイドカードサービスを利用するのに変化と改善がなく、それによりプリペイドカードのサービスが有する問題点を解決せず、カード選択の幅を広げる効果だけを期待するしかない。
【特許文献１】特開２００４−１５７５９７号公報
【発明の開示】
【発明が解決しようとする課題】
【００１７】
したがって、上記のような問題点を解決するために本発明の目的は、実際プリペイドカードを発行せず、ＰＩＮ番号(仮想プリペイドカード)を発行することだけでもユーザはプリペイドカードを購買するようなサービスが利用できるようにするプリペイドカードサービス運用システムを提供することにある。
【００１８】
また本発明の目的は、ユーザがプリペイドカード発行者と提携したサービス提供者サーバ(或いはコンテンツ提供者サーバ)に直接接続し、サービス提供者サーバのＷｅｂページにリンクされたプリペイドカード発行者サーバのＷｅｂページを通じて仮想プリペイドカードが直接に発給可能なようにするプリペイドカードサービス運用システムを提供することにある。
【００１９】
本発明の他の目的は、仮想プリペイドカードの注文過程で登録された購買者(或いは、広告主)の広告情報を保存し、ユーザが仮想プリペイドカードを登録する過程で予め保存された広告情報をユーザに音声メッセージ、文字メッセージなどの手段を利用して表示することにより、一層効率的な広告効果が得られるようにするプリペイドカードサービス運用システムを提供することにある。
【００２０】
また本発明の目的は、発行されたＰＩＮを利用して当籤可否を決定し、当籤されたＰＩＮを有する仮想プリペイドカードユーザに提携されたサービス提供者のサービス(コンテンツ、通信料金、有料Ｗｅｂサイトの利用など)を割引(無料を含み)された価格で利用可能にするプリペイドカードサービス運用システムを提供することにある。
【００２１】
さらに本発明の目的は、発行されたＰＩＮを利用して当籤可否を決定し、当籤されたＰＩＮを有する仮想プリペイドカードユーザに前記プリペイドカードの残高から予め定められた一定金額を充電して提供するプリペイドカードサービス運用システムを提供することにある。
【００２２】
本発明の他の目的は、一度の登録だけでユーザはプリペイドカードを携帯し、あるいはカード番号などのカード情報を記憶することなくても、どこでも、いつでもユーザが希望する時間に希望するサービスを反復的に使用可能にするプリペイドカードサービス運用システムを提供することにある。
【００２３】
また本発明の目的は、上記した目的を達成するためのプリペイドカードサービス運用方法を提供することにある。
【課題を解決するための手段】
【００２４】
上記の目的を達成するために本発明は、発行金額情報が含まれたＰＩＮを生成するプリペイドカード発行者サーバと、前記ＰＩＮの購買を要求する購買者端末機と、前記ＰＩＮを携帯したユーザが前記ＰＩＮを登録するためのユーザ端末機と、前記ＰＩＮのユーザが要求したサービスを前記プリペイドカードの発行金額だけユーザに提供するサービス提供者サーバと、が通信網を通じて相互通信可能に連結され、前記プリペイドカード発行者サーバは、前記購買者端末機が求めた購買物量だけ注文番号と発行金額情報を含むＰＩＮを生成して登録し、登録された発行金額情報を含む前記ＰＩＮを前記購買者端末機に提供し、前記ＰＩＮを携帯したユーザが前記ユーザ端末機を利用して前記ＰＩＮの登録を要求すれば、前記ユーザ端末機から入力されたＰＩＮと予め登録された前記登録ＰＩＮとを比べて前記入力されたＰＩＮを認証し、前記ユーザ端末機から入力されたサービス要求情報により前記サービス提供者サーバに接続して該当ユーザの正当性を認証し、前記サービス提供者サーバの認証結果に従って前記ＰＩＮの登録可否を前記ユーザ端末機に通知することを特徴とする。
【００２５】
一方本発明は、発行金額情報が含まれたＰＩＮを生成するプリペイドカード発行者サーバと、前記中継サーバから前記ＰＩＮをダウンロードし、ダウンロードされたＰＩＮを登録するためのユーザ端末機と、前記ＰＩＮのユーザが要求したサービスを前記ＰＩＮの発行金額だけユーザに提供するサービス提供者サーバと、が通信網を通じて相互通信可能に連結され、前記プリペイドカード発行者サーバは、前記ユーザ端末機が求めた購買物量だけの注文番号と発行金額情報を含むＰＩＮを生成して登録し、生成された前記ＰＩＮを前記ユーザ端末機にダウンロードし、前記ＰＩＮをダウンロードしたユーザが前記ユーザ端末機を利用して前記ＰＩＮの登録を要求すれば、前記ユーザ端末機から入力されたＰＩＮと予め登録された前記登録ＰＩＮとを比べて前記入力されたＰＩＮの正当性を認証し、前記ユーザ端末機から入力されたサービス要求情報により前記サービス提供者サーバに接続して該当ユーザの正当性を認証し、前記サービス提供者サーバの認証結果に従って前記ＰＩＮの登録可否を前記ユーザ端末機に通知することを特徴とする。
【００２６】
また、本発明は、発行金額情報が含まれたＰＩＮを生成するプリペイドカード発行者サーバと、前記ＰＩＮを携帯したユーザが前記ＰＩＮを登録するためのユーザ端末機と、前記ＰＩＮのユーザが要求したサービスを前記ＰＩＮの発行金額だけユーザに提供するサービス提供者サーバと、が通信網を通じて相互通信可能に連結され、前記プリペイドカード発行者サーバは、生成されたＰＩＮのうち当籤対象ＰＩＮをランダムに生成して保存し、前記ＰＩＮを携帯したユーザが前記ユーザ端末機を利用して前記ＰＩＮの登録を要求すれば、前記ユーザ端末機から入力されたＰＩＮと予め生成された前記当籤対象ＰＩＮとを比較して当籤可否を判断し、当籤された該当ＰＩＮを登録したユーザに前記ユーザ端末機から入力されたサービス要求情報により、前記サービス提供者サーバで提供するサービスを割引または無料のうち少なくともいずれか一つの価格で利用するように構成することを特徴とする。
【００２７】
ここで、前記ユーザ端末機は、電話網を通じて接続可能な電話機と、インターネット網を通じて接続可能なコンピュータと、無線インターネット網を通じて接続可能な移動通信端末機のうち少なくとも一つ以上を含むことが望ましい。
【００２８】
また、前記サービス提供者サーバは、移動通信事業者サーバ及び有料コンテンツ提供サイト運用者サーバのうち少なくとも一つ以上を含むことが望ましい。
【００２９】
また、前記プリペイドカード発行者サーバは、前記購買者端末機から伝送された購買情報に前記購買者端末機から伝送された広告情報を含んで保存し、前記ユーザ端末機のＰＩＮ登録要求により前記登録された広告情報を前記ユーザ端末機に伝送することが望ましい。
【００３０】
前記広告情報は、前記ユーザ端末機が電話機のときに提供される音声情報と、前記ユーザ端末機がコンピュータのときに提供されるイメージ情報と、前記ユーザ端末機が移動通信端末機のときに提供される文字メッセージ情報のうち少なくとも一つ以上を含むことが望ましい。
【００３１】
また、前記通信網は、電話網、インターネット網、専用回線のうち少なくとも一つ以上を含むことが望ましい。
【００３２】
前記プリペイドカード発行者サーバは、電話網を通じて接続された前記ユーザ端末機に応答し、前記ユーザ端末機に前記ＰＩＮの登録に関連した音声情報を提供するＩＶＲサーバと、インターネット網を通じて接続された前記購買者端末機または前記ユーザ端末機のうち少なくとも一つ以上に応答して前記ＰＩＮの登録過程を全般的に制御するトランザクションサーバと、前記プリペイドカード発行者サーバに接続された前記購買者端末機及び前記ユーザ端末機のうち少なくとも一つ以上に購買関連及び前記ＰＩＮ登録関連のＷｅｂページを提供するＷｅｂサーバと、無線インターネット網を通じて接続された前記ユーザ端末機に応答し、前記ユーザ端末機に前記ＰＩＮの登録のためのデータを伝送するＷＡＰサーバと、ＰＩＮを生成するＰＩＮサーバと、前記ＰＩＮサーバで生成されたＰＩＮと前記購買者端末機によって受け付けられた購買依頼情報に対応する注文番号及び前記購買者端末機から伝送された広告情報及びＰＩＮの認証と登録制御管理のためのＰＩＮ発行情報を一対一マッチングさせて登録するＤＢサーバと、前記購買者端末機またはユーザ端末機のうち少なくとも一つ以上の購買過程を全般的に制御するＥＲＰサーバと、を含むことを特徴とする。
【００３３】
前記プリペイドカード発行者サーバは、電話網を通じて接続された前記ユーザ端末機に応答し、前記ユーザ端末機に前記ＰＩＮの登録に関連した音声情報を提供するＩＶＲサーバと、インターネット網を通じて接続された前記購買者端末機または前記ユーザ端末機のうち少なくとも一つ以上に応答して前記ＰＩＮの登録過程を全般的に制御するトランザクションサーバと、前記中継サーバに接続された前記購買者端末機及び前記ユーザ端末機のうち少なくとも一つ以上に購買関連及び前記ＰＩＮ登録関連のＷｅｂページを提供するＷｅｂサーバと、無線インターネット網を通じて接続された前記ユーザ端末機に応答し、前記ユーザ端末機に前記ＰＩＮの登録のためのデータを伝送するＷＡＰサーバと、ＰＩＮを生成するＰＩＮサーバと、予め発給された前記ＰＩＮのうち当籤対象ＰＩＮをランダムに生成し、該生成された前記当籤対象ＰＩＮとユーザが入力したＰＩＮとを比べて当籤可否を判断し、前記ユーザ端末機に当籤結果を通知する管理者サーバと、前記ＰＩＮサーバで生成されたＰＩＮと前記購買者端末機によって受け付けられた購買依頼情報に対応する注文番号及び前記購買者端末機から伝送された広告情報を一対一マッチングさせて登録すると同時に前記管理者サーバで生成された当籤対象ＰＩＮを保存するＤＢサーバと、前記購買者端末機の購買過程を全般的に制御するＥＲＰサーバとを含むことを特徴とする。
【００３４】
また前記プリペイドカード発行者サーバは、前記専用回線及び前記インターネット網を通じて前記プリペイドカード発行者サーバに接続する接続者から前記プリペイドカード発行者サーバを保護するファイアウォールをさらに含むことが望ましい。
【００３５】
前記プリペイドカード発行者サーバは、前記ユーザ端末機で前記ＰＩＮの登録のために入力した各種登録情報が暗号化して前記プリペイドカード発行者サーバに伝送されるとき、暗号化された前記登録情報を解読すると同時に前記ＰＩＮの登録結果情報を暗号化し、前記プリペイドカード発行者サーバの保安を担当するプロキシサーバをさらに含む。
【００３６】
前記プリペイドカード発行者サーバは、前記プリペイドカード発行者サーバで発生する各種データをバックアップするバックアップサーバをさらに含む。
【００３７】
また本発明は、発行金額情報を含むＰＩＮを生成するプリペイドカード発行者サーバと、前記ＰＩＮの購買を要求する購買者端末機と、前記ＰＩＮを携帯したユーザが前記ＰＩＮを登録するためのユーザ端末機と、前記ＰＩＮのユーザが要求したサービスを前記ＰＩＮの発行金額だけユーザに提供するサービス提供者サーバが通信網を通じて相互に通信が可能なように連結されたシステムを利用するプリペイドカードサービス運用方法であって、前記プリペイドカード発行者サーバは、前記購買者端末機が求めた購買物量だけ注文番号と前記ＰＩＮを含む発行情報を生成して登録し、生成された前記ＰＩＮを前記購買者端末機に提供する段階と、前記ＰＩＮを携帯したユーザが前記ユーザ端末機を利用して前記ＰＩＮの登録を要求すると、前記ユーザ端末機から入力されたＰＩＮと予め登録された前記登録ＰＩＮとを比較して前記入力されたＰＩＮを認証する段階と、前記ユーザ端末機から入力されたサービス要求情報により前記サービス提供者サーバに接続して該当ユーザの正当性を認証し、前記サービス提供者サーバの認証結果に従って前記ＰＩＮの登録可否を前記ユーザ端末機に通知する段階とを含むことを特徴とする。
【００３８】
また本発明は、発行金額情報を含むＰＩＮを生成するプリペイドカード発行者サーバと、前記プリペイドカード発行者サーバからＰＩＮをダウンロードし、前記ダウンロードされたＰＩＮを登録するためのユーザ端末機と、前記ＰＩＮのユーザが要求したサービスを前記ＰＩＮの発行金額だけユーザに提供するサービス提供者サーバが通信網を通じて相互に通信が可能なように連結されたシステムを利用するプリペイドカードサービス運用方法であって、前記プリペイドカード発行者サーバは、前記購買者端末機が求めた購買物量だけ注文番号と前記ＰＩＮを含む発行情報を生成して登録し、生成された前記ＰＩＮを前記ユーザ端末機にダウンロードする段階と、前記ＰＩＮをダウンロードしたユーザが前記ユーザ端末機を利用して前記ＰＩＮの認証を要求すると、前記ユーザ端末機から入力されたＰＩＮと予め登録された前記登録ＰＩＮとを比較して前記ＰＩＮの正当性を認証する段階と、前記ユーザ端末機から入力されたサービス要求情報により前記サービス提供者サーバに接続して該当ユーザの正当性を認証し、前記サービス提供者サーバの認証結果に従って前記ＰＩＮの登録可否を通知する段階とを含むことを特徴とする。
【００３９】
また本発明は、発行金額情報を含むＰＩＮを生成するプリペイドカード発行者サーバと、前記ＰＩＮを携帯したユーザが前記ＰＩＮを登録するためのユーザ端末機と、前記ＰＩＮのユーザが要求したサービスを前記ＰＩＮの発行金額だけユーザに提供するサービス提供者サーバが通信網を通じて相互に通信が可能なように連結されたシステムを利用するプリペイドカードサービス運用方法であって、前記プリペイドカード発行者サーバは、予め発給された前記登録ＰＩＮのうち当籤対象ＰＩＮをランダムに生成して保存する段階と、前記ＰＩＮを携帯したユーザが前記ユーザ端末機を利用して前記ＰＩＮの登録を要求すると、前記ユーザ端末機から入力されたＰＩＮと予め生成された当籤対象ＰＩＮとを比較して当籤可否を判断する段階と、当籤されたＰＩＮを登録した使用者に前記ユーザ端末機から入力されたサービス要求情報により前記サービス提供者サーバで提供するサービスを割引または無料のうちいずれか一つの価格で提供する段階とを含むことを特徴とする。
【００４０】
ここで、前記ユーザ端末機を通じて前記ＰＩＮの正当性を認証する段階は、電話網を通じて接続可能な電話機を用いてＰＩＮを入力してＰＩＮの正当性を認証する段階と、インターネット網を通じて接続可能なコンピュータを利用してＰＩＮを入力してＰＩＮの正当性を認証する段階と、無線インターネット網を通じて接続可能な移動通信端末機を利用してＰＩＮを入力してＰＩＮの正当性を認証する段階のうち少なくとも一つ以上の段階を含む。
【００４１】
ここで、前記サービス提供者サーバは、移動通信事業者サーバ及び有料コンテンツ提供 サイト運用者サーバのうち少なくとも一つ以上を含む。
【００４２】
ここで、前記プリペイドカード発行者サーバは、前記購買者端末機から伝送された購買情報に前記購買者端末機から伝送された広告情報を含んで登録する段階と、前記ユーザ端末機の登録要求により前記登録された広告情報を前記ユーザ端末機に伝送する段階とをさらに含む。
【００４３】
ここで、前記ユーザ端末機に伝送される広告情報は、前記ユーザ端末機が電話機のときに提供される音声情報と、前記ユーザ端末機がコンピュータのときに提供されるイメージ情報と、前記ユーザ端末機が移動通信端末機のときに提供される文字メッセージ情報のうち少なくとも一つ以上を含む。
【００４４】
また、前記通信網は、電話網、インターネット網、専用回線のうち少なくとも一つ以上を含む。
【００４５】
また、前記プリペイドカード発行者サーバは、前記ユーザ端末機で前記サービス提供者サーバに積み立てられたユーザのポイントを前記ＰＩＮの充電金額に転換するように要求する段階と、前記サービス提供者サーバが前記要求されたポイント転換要求を前記プリペイドカード発行者サーバに伝送して前記ユーザが保有したＰＩＮの正当性を認証するように要求する段階と、正当性が認証されると、前記プリペイドカード発行者サーバで前記ＰＩＮの積立金額から前記サービス提供者サーバで要求した充電金額を加算して再充電する段階とをさらに含む。
【発明の効果】
【００４６】
本発明によるプリペイドカードサービス運用システム及び方法によると、次のような利点が発生する。
【００４７】
有形のプリペイドカードを発給する代わりにＰＩＮで構成された無形の仮想プリペイドカードを発給することで、プリペイドカードの制作に掛かる費用と時間的損失を低減することができる。また、ＰＩＮの生成だけでプリペイドカードが発給されるため、ユーザにプリペイドカードを迅速に配布することができる。
【００４８】
また、ユーザがプリペイドカードを登録する過程でユーザ端末機に予め登録された広告情報(音声情報、文字情報、イメージ情報など)を表示することにより、ユーザに対する広告効果が向上する。
【００４９】
しかも、プリペイドカード発行者サーバと提携したサービス提供者サーバはユーザが積み立てたポイントをプリペイドカードの金額で充電するようにプリペイドカード発行者サーバに要求し、プリペイドカード発行者サーバは該当要求事項を受け付けて認証されたユーザの場合、該当ユーザに発給されたＰＩＮに積み立てられた金額からポイント転換された充電金額だけ加算して再充電する。
【００５０】
それにより、ユーザは自分の積立ポイントを使用してプリペイドカードを利用する各種サービスの提供を受けることができ、ユーザに提供されるサービスの範囲が広くなる。
【００５１】
なお、ユーザに配布されたＰＩＮを利用して当籤可否を決定し、当籤されたＰＩＮを有するプリペイドカードユーザに提携されたサービス提供者のサービス(コンテンツ、通信料金、有料Ｗｅｂサイトの利用など)を割引(または無料)された価格で利用可能にすることにより、プリペイドカードの購買意欲が高くなり、プリペイドカードの活用度を極大化することができる。
【００５２】
また、ユーザがプリペイドカードのＰＩＮをプリペイドカード発行者サーバ４００の認証を経てサービス提供者サーバ３００のユーザ認証(検証)を経てから登録する一度の登録過程だけで、プリペイドカードの登録前またはプリペイドカードの登録後、いつでもサービス提供者サーバ３００のサービスを繰り返して使用可能になる。そのため、毎度ＰＩＮを認証しながら使用する必要がないので便利さがあり、残高が残っているプリペイドカードを紛失し、あるいは残高が残っているにも関わらず、プリペイドカードの発行金額全部が使用できない場合がなくなり、それによりユーザの大事な金銭的損失を防ぐことができる。
【発明を実施するための最良の形態】
【００５３】
以下、本発明の望ましい実施形態を添付の図面を参照して詳細に説明する。まず、図面の説明において、同一の構成要素に対してはできるだけ同一の参照符号を使用して説明する。また、下記の説明では具体的な回路の構成素子など特定事項を示しているが、これは本発明の容易な理解のために提供されるだけで、これら特定詳細がなくても本発明が実施可能であることは、当該技術分野で通常の知識を有する者には自明なことであろう。そして、本発明において関連した公知機能または構成に対する具体的説明が本発明の要旨を不明瞭にすると判断された場合、その詳細な説明を省略する。
【００５４】
図１は、本発明によるプリペイドカードサービス運用システムの全体的なシステム構成図を示すものである。
【００５５】
図１を参照して本発明の全体的な構成を説明すると、ＰＩＮで構成された仮想のプリペイドカード(以下、“プリペイドカード”と略称する)を注文し、不特定多数にプリペイドカードを販売及び贈与する購買者端末機１００と、プリペイドカードを利用して登録されたサービス提供者のサービスを利用するユーザ端末機２００と、プリペイドカードを登録したユーザにプリペイドカードの発行金額だけサービスを提供するサービス提供者サーバ３００と、前記購買者端末機１００、ユーザ端末機２００、及びサービス提供者サーバ３００を中継してプリペイドカードの発行と登録を管理するプリペイドカード発行者サーバ４００は通信網５００を通じて相互に通信可能に連結される。ここで、通信網５００は電話網(ＰＳＴＮ)、インターネット網、無線網などを含む。また、ユーザ端末機２００は移動通信端末機、コンピュータ、電話機などを含む。また、サービス提供者は有線通信事業者と移動通信事業者及びコンテンツ提供者と他のプリペイドカード発行者サーバ４００と提携した加盟店を含む。
【００５６】
すなわち、購買者端末機１００はプリペイドカード発行者サーバ４００にオンライン/オフラインを通じてプリペイドカードの購買を依頼し、プリペイドカード発行者サーバ４００は受け付けられたプリペイドカードの購買要求に応じてＰＩＮを生成して購買者に提供すると同時に、提供されたＰＩＮと該当ＰＩＮに対応する金額情報をデータベース化して保存する。以後、購買者はプリペイドカードをユーザに分配(販売あるいは贈与)し、プリペイドカードを受けたユーザはユーザ端末機２００を利用して通信網５００を通じてプリペイドカード発行者サーバ４００に接続してプリペイドカードをプリペイドカード発行者サーバ４００に認証し、サービス提供者サーバ３００に登録することにより、使用承認を求める。プリペイドカード発行者サーバ４００は、ユーザが入力したＰＩＮと予め登録されたＰＩＮを比較して該当プリペイドカードを認証し、ユーザ端末機２００から伝送された登録情報をユーザが要求したサービス提供者サーバ３００に伝送し、サービス提供者サーバ３００でその登録可否の結果を受信し、その結果によってユーザ端末機２００に登録結果を通知する。また、ユーザ端末機２００はサービス提供者サーバ３００で提供するサービスを要求し、サービス提供者サーバ３００はユーザが登録したプリペイドカードの残高だけユーザ端末機２００にサービスを提供する。
【００５７】
図２は、図１に示したプリペイドカード発行者サーバ４００の詳細構成図である。図２を参照して図１に示したプリペイドカード発行者サーバ４００の構成をより詳細に説明すれば、購買者端末機１００とユーザ端末機２００はそれぞれインターネット網５０１及びファイアウォール４０１を通じてＥＲＰ(Enterprise Resource Planning)サーバ４０２及びトランザクションサーバ(Transaction server)４０６に接続可能に構成されている。また、ユーザ端末機２００は、電話網５０２及びＰＡＢＸ(Private Automatic Branch Exchange)４０３をＩＶＲ(Interactive Voice Response)サーバ４０４に接続可能に構成されている。プリペイドカード発行者サーバ４００内のＥＲＰサーバ４０２はファイアウォール(fire wall)４０１及び専用回線５０３を通じてサービス提供者サーバ３００と通信可能に連結される。ここで、ＥＲＰとは製造業を含む多様なビジネス分野で生産、購買、在庫、供給者との取り引き、顧客サービスの提供などの主要プロセッサの管理を助ける多数のモジュールで構成された統合アプリケーションソフトウェアパッケージを意味する産業用語であり、財務及び人的資源のためのモジュールも含まれている。一般的にＥＲＰシステムは、関係形データベースに基づく統合システムの形態であり、ＥＲＰシステムの構築はビジネスプロセッサの分析、ユーザの再訓練、新たな作業手順などを含む。すなわち、本発明におけるＥＲＰサーバ４０２は購買者端末機１００またはユーザ端末機２００からのプリペイドカード購買依頼を受け付けて管理する。
【００５８】
また、プリペイドカード発行者サーバ４００は、プリペイドカード発行者サーバ４００の全般的な管理のための管理者サーバ４０５と、購買者端末機１００またはユーザ端末機２００がコンピュータのとき、購買者端末機１００またはユーザ端末機２００から受け付けられた登録要求情報に対応してプリペイドカードの登録過程を全般的に制御するトランザクションサーバ４０６と、ユーザ端末機２００が移動通信端末機のとき、ユーザ端末機２００とプリペイドカード発行者サーバ４００をインタフェースするＷＡＰ(Wireless Application Protocol)サーバ４０７と、購買者端末機１００またはユーザ端末機２００がコンピュータのとき、購買者端末機１００またはユーザ端末機２００にプリペイドカードの購買要求及びプリペイドカードの登録のための各種Ｗｅｂページ形式のファイルを提供するＷｅｂサーバ４０８と、ユーザ端末機２００でプリペイドカードの登録のために入力した各種登録情報が暗号化されてプリペイドカード発行者サーバ４００に伝送されるとき、暗号化した登録情報を解読すると同時にプリペイドカードの登録結果情報を暗号化し、プリペイドカード発行者サーバ４００の保安を担当するプロキシ(Proxy)サーバ４０９と、プリペイドカードのＰＩＮを生成するＰＩＮサーバ４１０と、ＰＩＮサーバ４１０で生成されたＰＩＮ情報と購買者端末機１００の購買受付によって生成された注文情報(注文数量、プリペイドカードの発行金額など)と購買者が予め要求した広告情報をマッチングして保存するデータベースサーバ(Database server：以下、“ＤＢサーバ”とする)４１１と、プリペイドカード発行者サーバ４００で発生した各種データをバックアップするバックアップサーバ４１２とを含む。
【００５９】
このような構成を有する本発明の動作について、図３〜図７を参照して説明すれば、次のようである。
【００６０】
図３はプリペイドカードの購買過程を示すブロック構成図で、図４はユーザがプリペイドカードのＰＩＮを直接に購買する過程を示すブロック構成図で、図５はユーザが電話網を利用してプリペイドカードを登録する過程を示すブロック構成図で、図６はユーザがインターネット網を利用してプリペイドカードを登録する過程を示すブロック構成図で、図７はユーザが無線インターネット網を利用してプリペイドカードを登録する過程を示すブロック構成図である。
＜プリペイドカードの購買過程１＞
購買者がプリペイドカード発行者サーバ４００にオフラインを通じてプリペイドカードを注文する場合、プリペイドカード発行者サーバ４００の管理者は管理者サーバ４０５を通じて注文情報を入力し、それにより注文情報はＥＲＰサーバ４０２に登録される。また、購買者が購買者端末機１００を利用してオンラインでプリペイドカード発行者サーバ４００にプリペイドカードを注文する場合、該当注文情報はインターネット網５０１及びファイアウォール４０１を通じてＥＲＰサーバ４０２に登録される。このとき、サービス提供者サーバ３００、または一般顧客、あるいはユーザ自分が購買者となりうる。
【００６１】
すなわち、購買者端末機１００でプリペイドカード発行者サーバ４００のＷｅｂページに接続して購買意思を表示すると、まず、Ｗｅｂサーバ４０８は購買関連Ｗｅｂページを購買者端末機１００にダウンロードして購買者が購買に関連した項目を入力するように要求する(図３のＡ１)。このとき、購買者端末機１００から入力される項目は購買者の情報と購買しようとするプリペイドカードの数量を含む。
【００６２】
ＥＲＰサーバ４０２は購買者端末機１００から伝送された購買情報を受け付け(図３のＡ２)、この受け付けられた購買情報に対応して購買者端末機１００が要求した数量だけＰＩＮサーバ４１０でプリペイドカードに使用されるＰＩＮを発行するように制御する(図３のＡ３)。以後、ＥＲＰサーバ４０２は購買者端末機１００の注文番号を生成し、この生成された注文番号と発行されたＰＩＮと購買者が要求した広告情報(ＳＭＳ情報、音声情報、イメージ情報など)及び発行日付と発行金額とカードの種類などが結合された発行情報を生成してＤＢサーバ４１１に登録する(図３のＡ４)。ここで、広告情報はユーザがプリペイドカードを登録するとき、ＩＶＲサーバ４０４で自動出力される購買者の案内情報を含む音声情報と、ユーザ端末機２００に伝送されるＳＭＳ情報及びイメージ情報を含むことが望ましい。
【００６３】
また、ＤＢサーバ４１１に保存された発行情報はバックアップサーバ４１２にバックアップされ(図３のＡ５)、Ｗｅｂサーバ４０８はＰＩＮを購買者端末機１００にダウンロードして購買者がＰＩＮを識別可能にする(図３のＡ６)。
【００６４】
その後、購買者は必要に応じてユーザにプリペイドカードのＰＩＮを無償或いは有償で配布することができる。
＜プリペイドカードの購買過程２＞
サービス提供者サーバ３００のＷｅｂページにはプリペイドカード発行者サーバ４００のプリペイドカードＰＩＮを発給するためのＷｅｂページにリンクされたバナーが表示される。ユーザがサービス提供者サーバ３００に接続して前記バナーをクリックしてプリペイドカードのＰＩＮを発給するように要求すると、該当注文情報はインターネット網５０１及びファイアウォール４０１を通じてＥＲＰサーバ４０２に登録される。このとき、サービス提供者サーバ３００、または一般顧客、あるいはユーザ自分が購買者となりうる。
【００６５】
すなわち、ユーザがサービス提供者サーバ３００のＷｅｂページに表示されたバナーを通じてプリペイドカード発行者サーバ４００のＷｅｂページに接続して購買意思を表示すると、まず、Ｗｅｂサーバ４０８は購買関連Ｗｅｂページをユーザ端末機(ここでは、ユーザのコンピュータ)２００にダウンロードしてユーザが購買に関連した項目を入力するように要求する(図４のＡ７)。このとき、ユーザ端末機２００から入力される項目はユーザの情報と購買しようとするプリペイドカードＰＩＮの数量を含むこともできる。
【００６６】
ＥＲＰサーバ４０２はユーザ端末機２００から伝送された購買情報を受け付け(図４のＡ８)、この受け付けられた購買情報に対応してユーザ端末機２００が要求した数量だけＰＩＮサーバ４１０でプリペイドカードに使用されるＰＩＮを発行するように制御する(図４のＡ９)。以後、ＥＲＰサーバ４０２は購買者端末機１００の注文番号を生成し、この生成された注文番号と発行されたＰＩＮと発行日付と発行金額とカードの種類などが結合された発行情報を生成してＤＢサーバ４１１に登録する(図４のＡ１０)。
【００６７】
また、ＤＢサーバ４１１に保存された発行情報はバックアップサーバ４１２にバックアップされ(図４のＡ１１)、Ｗｅｂサーバ４０８はＰＩＮをユーザ端末機２００にダウンロードして購買者がＰＩＮを識別可能にする(図４のＡ１２)。
＜電話網を利用するプリペイドカードの登録過程＞
図５に示すように、購買者からプリペイドカードのＰＩＮが供給されたユーザあるいはユーザ端末機２００を通じてＰＩＮをダウンロードしたユーザが、ユーザ端末機(ここでは、電話機)２００で電話網５０２を利用してプリペイドカードのＰＩＮを登録しようとする場合、ユーザ端末機２００はプリペイドカード発行者サーバ４００の電話番号で呼を接続する。それにより、ユーザ端末機２００は電話網５０２とＰＡＢＸ４０３を経由してＩＶＲサーバ４０４に接続される。ＩＶＲサーバ４０４は予め保存された音声情報を利用してユーザ端末機２００でユーザに支給された(または、ユーザが購買した)プリペイドカードのＰＩＮ、またはユーザがダウンロードしたＰＩＮを入力するように要求し、ユーザはユーザ端末機２００を利用してプリペイドカードのＰＩＮを入力する(図５のＢ１)。
【００６８】
ユーザ端末機２００から入力されたＰＩＮはＩＶＲサーバ４０４を通じてトランザクションサーバ４０６に伝送され、トランザクションサーバ４０６はＩＶＲサーバ４０４で伝送されたＰＩＮとＤＢサーバ４１１に登録された登録ＰＩＮとを比較し、該当プリペイドカードまたは該当ＰＩＮが正常のカードであるか、正常のＰＩＮであるかを認証する(図５のＢ２)。ここで、ＩＶＲサーバ４０４で伝送されたＰＩＮがＤＢサーバ４１１に登録されたＰＩＮと同一であれば、トランザクションサーバ４０６は当該プリペイドカードが正常のカードであると判定し、あるいはユーザがダウンロードした当該ＰＩＮが正常のＰＩＮであると判定し、ＤＢサーバ４１１に保存された発行情報のうち、購買者によって予め登録された広告情報(音声情報)を検出して認証結果と広告情報(音声情報)をＩＶＲサーバ４０４を通じてユーザ端末機２００に伝送する(図５のＢ３)。ここで、ユーザがユーザ端末機２００にＰＩＮを直接ダウンロードした場合には別途の広告情報を伝送しないこともできる。
【００６９】
その後、ＩＶＲサーバ４０４はユーザ端末機２００にサービスを受けたいとの内容が含まれているサービス要求情報(電話番号、有料サイトの会員情報など)を入力するように要求し(図５のＢ４)、ユーザ端末機２００からサービス要求情報が入力されると(図５のＢ５)、トランザクションサーバ４０６はプリペイドカードの発行情報とユーザが入力したサービス要求情報を含む登録要求情報を生成してファイアウォール４０１及び専用回線５０３を通じてサービス提供者サーバ３００に伝送する(図５のＢ６)。
【００７０】
サービス提供者サーバ３００はプリペイドカード発行者サーバ４００内のトランザクションサーバ４０６から伝送された登録要求情報のうち、ユーザが入力したサービス要求情報を分析して該当ユーザがサービスを利用できる資格があるかどうか(該当Ｗｅｂサイトの会員であるか、入力した電話番号が正常的な番号であるか、サービスを受ける正常的加入者であるかなど)を確認し、該当ユーザの資格が検証されると、登録要求情報を保存すると同時に登録要求情報と誤りコードを結合した登録情報を生成してプリペイドカード発行者サーバ４００に伝送する(図５のＢ７)。
【００７１】
ここで、誤りコードは正常に登録が完了したことを示すコードあるいは異常が発生した理由を示すコードを含む。これにより、トランザクションサーバ４０６はＩＶＲサーバ４０４を通じてユーザ端末機２００に登録結果を通知する(図５のＢ８)。したがって、ユーザはプリペイドカードの発行金額をプリペイドカード発行者サーバ４００の認証を経てサービス提供者サーバ３００のユーザ認証(検証)を経た後に登録し、この登録された発行金額だけユーザが要求した該当サービス提供者のサービスを制限なしに利用することができる。
＜インターネット網を利用するプリペイドカードの登録過程＞
図６に示すように、購買者からプリペイドカードが供給されたユーザあるいはユーザ端末機２００を通じてＰＩＮをダウンロードしたユーザが、ユーザ端末機(ここでは、コンピュータ)２００でインターネット網５０１を利用してプリペイドカードのＰＩＮを登録しようとする場合、ユーザ端末機２００はプリペイドカード発行者サーバ４００のＷｅｂページに接続する。それにより、ユーザ端末機２００はインターネット網５０１とファイアウォール４０１を経由してＷｅｂサーバ４０８に接続される。Ｗｅｂサーバ４０８は予め登録されたプリペイドカード登録Ｗｅｂページをユーザ端末機２００にダウンロードしてユーザ端末機２００でユーザに支給された(または、ユーザが購買した)プリペイドカードのＰＩＮ、またはユーザがダウンロードしたＰＩＮを入力するように要求し、ユーザはユーザ端末機２００を利用してプリペイドカードのＰＩＮを入力する(図６のＣ１)。
【００７２】
ユーザ端末機２００から入力されたＰＩＮはファイアウォール４０１を通じてトランザクションサーバ４０６に伝送され、トランザクションサーバ４０６はユーザ端末機２００で伝送されたＰＩＮとＤＢサーバ４１１に登録された登録ＰＩＮとを比較し、該当プリペイドカードが正常のカードであるか、正常のＰＩＮであるかを認証する(図６のＣ２)。ここで、ユーザ端末機２００で伝送されたＰＩＮがＤＢサーバ４１１に登録されたＰＩＮと同一であれば、トランザクションサーバ４０６は当該プリペイドカードが正常のカードであると判定し、あるいはユーザ端末機２００にダウンロードした当該ＰＩＮが正常のＰＩＮであると判定し、ＤＢサーバ４１１に保存された発行情報のうち、購買者によって予め登録された広告情報(イメージ情報)を検出して認証結果と広告情報(イメージ情報)をファイアウォール４０１を通じてユーザ端末機２００に伝送する(図６のＣ３)。ここで、ユーザがユーザ端末機２００にＰＩＮを直接ダウンロードした場合には別途の広告情報を伝送しないこともできる。
【００７３】
その後、Ｗｅｂサーバ４０８はユーザ端末機２００にサービスを受けたいとの内容が含まれているサービス要求情報(電話番号、有料サイトの会員情報など)を入力するように要求し(図６のＣ４)、ユーザ端末機２００からサービス要求情報が入力されると(図６のＣ５)、トランザクションサーバ４０６はプリペイドカードの発行情報とユーザが入力したサービス要求情報を含む登録要求情報を生成してファイアウォール４０１及び専用回線５０３を通じてサービス提供者サーバ３００に伝送する(図６のＣ６)。
【００７４】
サービス提供者サーバ３００はプリペイドカード発行者サーバ４００内のトランザクションサーバ４０６から伝送された登録要求情報のうち、ユーザが入力したサービス要求情報を分析して該当ユーザがサービスを利用できる資格があるかどうか(該当Ｗｅｂサイトの会員であるか、入力した電話番号が正常的な番号であるか、サービスを受ける正常的加入者であるかなど)を確認し、該当ユーザの資格が検証されると、登録要求情報を保存すると同時に登録要求情報と誤りコードを結合した登録情報を生成してプリペイドカード発行者サーバ４００に伝送する(図６のＣ７)。ここで、誤りコードは正常に登録が完了したことを示すコードあるいは異常が発生した理由を示すコードを含む。これにより、トランザクションサーバ４０６はファイアウォール４０１を通じてユーザ端末機２００に登録結果を通知する(図６のＣ８)。したがって、ユーザはプリペイドカードの発行金額をプリペイドカード発行者サーバ４００の認証を経てサービス提供者サーバ３００のユーザ認証(検証)を経た後に登録し、この登録された発行金額だけユーザが要求した該当サービス提供者のサービスを制限なしに利用することができる。
＜無線インターネット網を利用するプリペイドカードの登録過程＞
図７に示すように、購買者からプリペイドカードが供給されたユーザあるいはユーザ端末機２００を通じてＰＩＮをダウンロードしたユーザが、ユーザ端末機(ここでは、移動通信端末機)２００で無線インターネット網を利用してプリペイドカードまたはダウンロードしたＰＩＮを登録しようとする場合、ユーザ端末機２００は通信事業者の基地局及びＷＡＰゲートウェイを経由してプリペイドカード発行者サーバ４００に接続し、それによりユーザ端末機２００はインターネット網５０１とファイアウォール４０１を経てＷＡＰサーバ４０７に接続される。ＷＡＰサーバ４０７は予め登録されたプリペイドカード及びダウンロードしたＰＩＮ登録のためのデータをユーザ端末機２００にダウンロードしてユーザ端末機２００で使用者が携帯したプリペイドカードのＰＩＮを入力するように要求し、ユーザはユーザ端末機２００を利用してプリペイドカードのＰＩＮを入力する(図７のＤ１)。
【００７５】
ユーザ端末機２００から入力されたＰＩＮは所定規格により暗号化してファイアウォール４０１を通じてＷＡＰサーバ４０７に伝送され、ＷＡＰサーバ４０７はユーザ端末機２００で伝送されたＰＩＮをプロキシサーバ４０９に伝送して解読した後(図７のＤ２)、解読されたＰＩＮをトランザクションサーバ４０６に伝送する(図７のＤ３)。
【００７６】
トランザクションサーバ４０６は解読されたＰＩＮとＤＢサーバ４１１に予め保存された登録ＰＩＮとを比較し、該当プリペイドカードが正常のカードであるかを認証し、あるいはダウンロードされたＰＩＮが正常のＰＩＮであるかを認証する。ここで、ユーザ端末機２００で伝送されたＰＩＮがＤＢサーバ４１１に登録された登録ＰＩＮと同一であれば、トランザクションサーバ４０６は該当プリペイドカードが正常のカードであると判定し、あるいはダウンロードされたＰＩＮが正常のＰＩＮであると判定し、ＤＢサーバ４１１に登録された発行情報のうち購買者によって予め登録された広告情報(イメージ情報)を検出して認証結果と広告情報(イメージ情報、テキストなど)をＷＡＰサーバ４０７とファイアウォール４０１及びインターネット網５０１を通じてユーザ端末機２００に伝送する(図７のＤ４)。ここで、ユーザがユーザ端末機２００にＰＩＮを直接ダウンロードした場合には別途の広告情報を伝送しないこともできる。
【００７７】
その後、ＷＡＰサーバ４０７はユーザ端末機２００にサービスを受けたいとの内容が含まれているサービス要求情報(電話番号、有料サイトの会員情報など)を入力するように要求し、ユーザ端末機２００からＷＡＰサーバ４０７が得られた情報を通じて(図７のＤ５)、ユーザ端末機２００からサービス要求情報が入力されると(図７のＤ６)、トランザクションサーバ４０６はプリペイドカードの発行情報とユーザが入力したサービス要求情報を含む登録要求情報を生成してファイアウォール４０１及び専用回線５０３を通じてサービス提供者サーバ３００に伝送する(図７のＤ７)。
【００７８】
サービス提供者サーバ３００はプリペイドカード発行者サーバ４００内のトランザクションサーバ４０６から伝送された登録要求情報のうち、ユーザが入力したサービス要求情報を分析して該当ユーザがサービスを利用できる資格があるかどうか(該当サービス加入者であるか、該当サービスが可能な端末機であるか、入力した電話番号が正常的な番号であるかなど)を確認し、該当ユーザの資格が検証されると、登録要求情報を保存すると同時に登録要求情報と誤りコードを結合した登録情報を生成してプリペイドカード発行者サーバ４００に伝送する(図７のＤ８)。ここで、誤りコードは正常に登録が完了したことを示すコードあるいは異常が発生した理由を示すコードを含む。これにより、トランザクションサーバ４０６はＷＡＰサーバ４０７に登録情報を伝送し(図７のＤ９)、ＷＡＰサーバ４０７は登録情報をプロキシサーバ４０９に伝送して暗号化した後(図７のＤ１０)、暗号化した登録結果情報をファイアウォール４０１及びインターネット網５０１を通じてユーザ端末機２００に通知する(図７のＤ１１)。したがって、ユーザはプリペイドカードの発行金額をプリペイドカード発行者サーバ４００の認証を経てサービス提供者サーバ３００のユーザ認証(検証)を経た後に登録し、この登録された発行金額だけユーザが要求した該当サービス提供者のサービスを制限なしに利用することができる。
＜プリペイドカードサービス提供の決済精算過程＞
以後、決済日が到来すれば、サービス提供者サーバ３００はユーザの全体サービス使用金額から予め登録したプリペイドカードの残高を差し引き、この差し引いた後の残額のみをユーザに請求し、差し引いたプリペイドカードの残額はプリペイドカード発行者サーバ４００に請求する。すなわち、上記した本発明はユーザがサービス提供者サーバ３００で提供するサービスを利用する度にプリペイドカードの残高が差し引かれるのではなく、ユーザはプリペイドカードを登録したサービス提供者サーバ３００で提供するサービスを制約なしに利用でき、以後決済日が到来すると、サービス利用金額を一括精算することが特徴である。
【００７９】
ここで、ユーザがユーザ端末機２００を通じて直接ＰＩＮをダウンロードした場合にはユーザが現在接続したサービス提供者サーバ３００にプリペイドカードのＰＩＮを購買するための費用を決済し、プリペイドカード発行者サーバ４００とサービス提供者サーバ３００は事前、あるいは事後に精算を行うようにすることが望ましい。
【００８０】
また、プリペイドカード発行者サーバ４００と提携されたサービス提供者サーバ３００は、ユーザの積み立てポイントをプリペイドカードの金額に充電するようにプリペイドカード発行者サーバ４００に求め、プリペイドカード発行者サーバ４００は該当要求事項を受け付けてプリペイドカードＰＩＮの正当性を認証し、正当性が認証されたユーザの場合、該当ユーザに発給されたプリペイドカードあるいはＰＩＮに積み立てられた金額からポイント転換された充電金額だけ加算して再充電し、ユーザがプリペイドカードを登録してサービス提供者のサービスを利用可能にする。したがって、ユーザは自己の積立ポイントを使用してプリペイドカードを使用する各種サービスを受けることができ、それによりユーザに提供されるサービスの範囲が広くなる。
【００８１】
一方、上記した内容中、プリペイドカード発行者サーバ４００とサービス提供者サーバ３００との間に連結された通信網５００は専用回線５０３に限定して説明したが、インターネット網５０１や電話網５０２に変形して設計することは自明である。また、プリペイドカード発行者サーバ４００とユーザ端末機２００との間に連結された通信網５００は、それぞれインターネット網５０１や電話網５０２に限定して説明したが、技術的変形によって専用回線５０３あるいは他の通信網に変形して設計可能であることは自明である。なお、プリペイドカード発行者サーバ４００とユーザ端末機２００との間に接続された電話網５０２を他の通信網に変形して設計可能であることももちろんである。
【００８２】
したがって、ユーザは有形のプリペイドカードを携帯しなくても購買者から提供され、あるいは直接ダウンロードしたプリペイドカードのＰＩＮを利用してサービス提供者サーバ３００で提供するコンテンツを利用することができる。
【００８３】
一方、図８には本発明によるプリペイドカードのＰＩＮを利用してコンテンツを提供する過程を示すブロック構成図を示す。
【００８４】
図８を参照してコンテンツ運用過程を説明すれば、下記のようである。
＜プリペイドカードを利用するコンテンツ提供サービス運用過程＞
まず、管理者サーバ４０５は購買過程で予め発給されたプリペイドカードのＰＩＮのうち、当籤対象ＰＩＮをランダムに生成してＤＢサーバ４１１に保存する(図８のＥ１)。 
【００８５】
ユーザ端末機２００でプリペイドカードを登録するためにＰＩＮを入力すると、暗号化したＰＩＮは通信事業者基地局及びＷＡＰゲートウェイを経由してＷＡＰサーバ４０７に伝送される(図８のＥ２)。ＷＡＰサーバ４０７はユーザ端末機２００から伝送された暗号化したＰＩＮをプロキシサーバ４０９に伝送して解読し(図８のＥ３)、この解読されたＰＩＮを管理者サーバ４０５に伝送する(図８のＥ４)。
【００８６】
管理者サーバ４０５はＷＡＰサーバ４０７から伝送されたＰＩＮと既に生成されてＤＢサーバ４１１に保存された当籤対象ＰＩＮを比較し、該当ＰＩＮが当籤対象ＰＩＮに含まれているかどうかを確認し(図８のＥ５)、該当ＰＩＮが当籤対象ＰＩＮに含まれていると、当籤結果をＷＡＰサーバ４０７に伝送する(図８のＥ６)。
【００８７】
ＷＡＰサーバ４０７は、管理者サーバ４０５から伝送された当籤結果をプロキシサーバ４０９に伝送して暗号化し(図８のＥ７)、暗号化した当籤結果情報をユーザ端末機２００に通知する(図８のＥ８)。ここで、当籤されたＰＩＮを登録したユーザに提供される割引サービス(あるいは無料サービス)の費用はコンテンツ提供サービスを運用する主体に従ってサービス提供者サーバ３００または、プリペイドカード発行者サーバ４００で負担することもできる。もし、サービス提供者サーバ３００で割引サービスの費用を負担する場合には管理者サーバ４０５が当籤されたＰＩＮを登録したユーザ端末機２００のサービス要求情報を分析して該当サービス提供者サーバ３００に当籤結果を通知して当籤されたＰＩＮを持っているユーザのサービス料金を差し引いて請求するのが望ましい。
【００８８】
ここで、上記したプリペイドカードを利用するコンテンツ提供サービス運用過程ではユーザがＰＩＮを登録したとき、ＷＡＰサーバ４０７を通じて登録することに限定して説明したが、ユーザ端末機２００の種類に従ってＩＶＲサーバ４０４またはＷｅｂサーバ４０８のうちのいずれか一つに代替可能であることは自明である。
【００８９】
一方、管理者サーバ４０５は必要に応じて予め定められた当籤金額を当籤されたＰＩＮに対応するプリペイドカードに充電して支給することもできる。このような場合、ユーザはプリペイドカードのＰＩＮに該当する残高と管理者サーバ４０５で支給した当籤金額を加算した金額だけサービス提供者サーバ３００でサービスを利用することもできる。
【００９０】
また、プリペイドカード発行者サーバ４００と提携されたサービス提供者サーバ３００は、ユーザの積み立てポイントをプリペイドカードの金額に充電するようにプリペイドカード発行者サーバ４００に求め、プリペイドカード発行者サーバ４００は該当要求事項を受け付けてプリペイドカードＰＩＮの正当性を認証し、正当性が認証されたユーザの場合、該当ユーザに発給されたＰＩＮに積み立てられた金額からポイント転換された充電金額だけ加算して再充電する。したがって、ユーザは自分の積立ポイントを使用してプリペイドカードを利用した各種サービスの提供を受けることができ、それによりユーザに提供されるサービスの範囲が広くなる。この場合、ユーザがＰＩＮを利用してサービス提供者サーバ３００が提供するサービスを無料あるいは割引された価格で利用可能にすることで、プリペイドカードの活用度を極大化することができる。
【００９１】
一方、上記した内容中、プリペイドカード発行者サーバ４００とサービス提供者サーバ３００との間に連結された通信網５００は専用回線５０３に限定して説明したが、インターネット網５０１や電話網５０２に変形して設計することは自明である。また、プリペイドカード発行者サーバ４００とユーザ端末機２００との間に連結された通信網５００は、それぞれインターネット網５０１や電話網５０２に限定して説明したが、技術的変形によって専用回線５０３あるいは他の通信網に変形して設計可能であることは自明である。なお、プリペイドカード発行者サーバ４００とユーザ端末機２００との間に接続された電話網５０２を他の通信網に変形して設計可能であることももちろんである。
【００９２】
このように、本発明の詳細な説明では具体的な実施形態について説明したが、本発明の範囲を外れない限り多様な変形が可能であることはもちろんである。したがって、本発明の範囲は説明した実施形態に局限して定められてはいけないし、特許請求の範囲だけでなく、この特許請求の範囲と均等なものによって定められなければならない。
【図面の簡単な説明】
【００９３】
【図１】本発明によるプリペイドカードサービス運用システムの全体的システムの構成図である。
【図２】図１によるプリペイドカード発行者サーバの詳細構成図である。
【図３】購買者がプリペイドカードを購買する過程を示すブロック構成図である。
【図４】ユーザがプリペイドカードを直接に購買する過程を示すブロック構成図である。
【図５】ユーザが電話網を利用してプリペイドカードを登録する過程を示すブロック構成図である。
【図６】ユーザがインターネット網を利用してプリペイドカードを登録する過程を示すブロック構成図である。
【図７】ユーザが無線インターネット網を利用してプリペイドカードを登録する過程を示すブロック構成図である。
【図８】プリペイドカードのＰＩＮを利用して当籤可否によりコンテンツを提供する過程を示すブロック構成図である。
【符号の説明】
【００９４】
１００  購買者端末機
２００  ユーザ端末機
３００  サービス提供者サーバ
４００  プリペイドカード発行者サーバ
４０１  ファイアウォール
４０２  ＥＲＰサーバ
４０３  ＰＡＢＸ
４０４  ＩＶＲサーバ
４０５  管理者サーバ
４０６  トランザクションサーバ
４０７  ＷＡＰサーバ
４０８  Ｗｅｂサーバ
４０９  プロキシサーバ
４１０  ＰＩＮサーバ
４１１  ＤＢサーバ
４１２  バックアップサーバ
５００  通信網
５０１  インターネット網
５０２  ＰＳＴＮ
５０３  専用回線
【図１】
2006040249.tif 000003
【図２】
2006040249.tif 000004
【図３】
2006040249.tif 000005
【図４】
2006040249.tif 000006
【図５】
2006040249.tif 000007
【図６】
2006040249.tif 000008
【図７】
2006040249.tif 000009
【図８】
2006040249.tif 000010